【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、反射部材、正の屈折力の第３レンズ群、正の屈折力の第４レンズ群を有し、広角端から望遠端へのズーミングに際して、前記第１レンズ群と前記第２レンズ群と前記第３レンズ群のうち２つ以上のレンズ群が移動し、前記第２レンズ群と前記第３レンズ群の間隔が減少するズームレンズであって、前記第３レンズ群は、第３ａレンズ群と、光軸と垂直方向の成分を持つように移動して光軸に対して垂直方向に結像位置を変化させる第３ｂレンズ群を有し、望遠端において無限遠物体に合焦しているときの前記第３ｂレンズ群の横倍率と、前記第３ｂレンズ群より像側に配置されているレンズ系の横倍率を各々β３ｂ、βｒ、前記第３レンズ群の最も物体側のレンズ面から前記第３ｂレンズ群の最も物体側のレンズ面までの距離をＬ３ｉｓ、前記第３レンズ群の光軸方向の厚さをＤＬ３とするとき、
１＜（１−β３ｂ）βｒ＜３
０．３＜Ｌ３ｉｓ／ＤＬ３＜０．９９
なる条件式を満足することを特徴とするズームレンズ。
【請求項２】
望遠端において無限遠物体に合焦しているときの前記第３ｂレンズ群より像側に配置されているレンズ系の焦点距離をｆｒ、広角端と望遠端における全系の焦点距離をそれぞれｆｗ、ｆｔとするとき、
０．１＜｜ｆｒ／√（ｆｗ・ｆｔ）｜＜３．０
なる条件式を満足することを特徴とする請求項１に記載のズームレンズ。
【請求項３】
前記第３ｂレンズ群は正の屈折力を有し、１以上の非球面を有することを特徴とする請求項１又は２に記載のズームレンズ。
【請求項４】
前記第３レンズ群の焦点距離をｆ３、広角端における全系の焦点距離をｆｗとするとき、
１．５＜ｆ３／ｆｗ＜３．２
なる条件式を満足することを特徴とする請求項１乃至３のいずれか１項に記載のズームレンズ。
【請求項５】
前記第３ｂレンズ群の焦点距離をｆ３ｂ、前記第３レンズ群の焦点距離をｆ３とするとき、
０．５＜ｆ３ｂ／ｆ３＜１．５
なる条件式を満足することを特徴とする請求項１乃至４のいずれか１項に記載のズームレンズ。
【請求項６】
前記反射部材は、光軸上の光線を入射方向と出射方向が直角になるように反射させる反射面を有し、前記第２レンズ群の最も像側のレンズ面の有効径をΦ２ｒ、前記反射部材の光軸方向の厚さをＬｐ、望遠端における前記反射部材の出射面から前記第３レンズ群の最も物体側のレンズ面までの距離をＬｐ３とするとき、
０．７＜（Ｌｐ＋Ｌｐ３）／Φ２ｒ＜１．５
なる条件式を満足することを特徴とする請求項１乃至５のいずれか１項に記載のズームレンズ。
【請求項７】
前記第４レンズ群の像側に正の屈折力の第５レンズ群を有することを特徴とする請求項１乃至６のいずれか１項のズームレンズ。
【請求項８】
前記第３ｂレンズ群の像側に負の屈折力の第３ｃレンズ群を有することを特徴とする請求項１乃至７のいずれか１項のズームレンズ。
【請求項９】
請求項１乃至８のいずれか１項に記載のズームレンズと、該ズームレンズによって形成された像を受光する固体撮像素子を有することを特徴とする撮像装置。
【手続補正２】
【補正対象書類名】明細書
【補正対象項目名】０００５
【補正方法】変更
【補正の内容】
【０００５】
防振機能を有したズームレンズとして、ズームレンズを構成する一部のレンズ群を光軸に対して垂直方向に変位させて像ぶれ補正（手ぶれ補正）をしたものが知られている。
【手続補正３】
【補正対象書類名】明細書
【補正対象項目名】０００６
【補正方法】変更
【補正の内容】
【０００６】
このうち物体側から像側へ順に、正、負、正、正の屈折力の第１〜第４レンズ群より成るズームレンズにおいて、第３レンズ群の一部のレンズ群を光軸に対して垂直方向に振動させて像ぶれ補正をしたズームレンズが知られている（特許文献３）。
【手続補正４】
【補正対象書類名】明細書
【補正対象項目名】０００８
【補正方法】変更
【補正の内容】
【０００８】
そして広角端から望遠端へのズーミング時に第２レンズ群と第３レンズ群の間隔が狭くなるようにレンズ群を移動をさせるズームレンズを開示している。また特許文献１では第３レンズ群全体を光軸に対して垂直方向に変位させて手ぶれ補正をする構成を開示している。
【手続補正５】
【補正対象書類名】明細書
【補正対象項目名】００２０
【補正方法】変更
【補正の内容】
【００２０】
本発明のズームレンズは、物体側より像側へ順に、正の屈折力の第１レンズ群、負の屈折力の第２レンズ群、反射部材、正の屈折力の第３レンズ群、正の屈折力の第４レンズ群を有し、広角端から望遠端へのズーミングに際して、前記第１レンズ群と前記第２レンズ群と前記第３レンズ群のうち２つ以上のレンズ群が移動し、前記第２レンズ群と前記第３レンズ群の間隔が減少するズームレンズであって、前記第３レンズ群は、第３ａレンズ群と、光軸と垂直方向の成分を持つように移動して光軸に対して垂直方向に結像位置を変化させる第３ｂレンズ群を有し、望遠端において無限遠物体に合焦しているときの前記第３ｂレンズ群の横倍率と、前記第３ｂレンズ群より像側に配置されているレンズ系の横倍率を各々β３ｂ、βｒ、前記第３レンズ群の最も物体側のレンズ面から前記第３ｂレンズ群の最も物体側のレンズ面までの距離をＬ３ｉｓ、前記第３レンズ群の光軸方向の厚さをＤＬ３とするとき、
１＜（１−β３ｂ）βｒ＜３
０．３＜Ｌ３ｉｓ／ＤＬ３＜０．９９
なる条件式を満足することを特徴としている。
【手続補正６】
【補正対象書類名】明細書
【補正対象項目名】００２７
【補正方法】変更
【補正の内容】
【００２７】
第３レンズ群は正又は負の屈折力の第３ａレンズ群と、光軸と垂直方向の成分を持つように移動して光軸に対し垂直方向に像（結像位置）を変移させる像ぶれ補正用の正の屈折力の第３ｂレンズ群を有している。
【手続補正７】
【補正対象書類名】明細書
【補正対象項目名】００４１
【補正方法】変更
【補正の内容】
【００４１】
ＰＲは反射面ＰＲａを含む反射部材（プリズム部材）であり、第２レンズ群Ｌ２と第３レンズ群Ｌ３との間に配置されており、図１６に示すように光軸上の光線を入射方向に対し９０度反射させている。即ち入射方向と出射方向が直角になるようにしている。
【手続補正８】
【補正対象書類名】明細書
【補正対象項目名】００５２
【補正方法】変更
【補正の内容】
【００５２】
第３ｂレンズ群Ｌ３ｂは像ぶれ補正のため（画像の変位を調整するため）（防振のため）に光軸に対して垂直方向の成分を持つように移動している。
【手続補正９】
【補正対象書類名】明細書
【補正対象項目名】００５４
【補正方法】変更
【補正の内容】
【００５４】
即ち光軸に対して垂直方向の成分を持つように防振用の第３ｂレンズ群Ｌ３ｂを移動させれば、像の面内での移動が可能となる。
【手続補正１０】
【補正対象書類名】明細書
【補正対象項目名】００７４
【補正方法】変更
【補正の内容】
【００７４】
０．１＜｜ｆｒ／√（ｆｗ・ｆｔ）｜＜３．０    ・・・（３）
【手続補正１１】
【補正対象書類名】明細書
【補正対象項目名】００７５
【補正方法】変更
【補正の内容】
【００７５】
１．５＜ｆ３／ｆｗ＜３．２ ・・・（４）
０．５＜ｆ３ｂ／ｆ３＜１．５ ・・・（５）
０．７＜（Ｌｐ＋Ｌｐ３）／Φ２ｒ＜１．５ ・・・（６）
なる条件式のうち１以上を満足するのが良い。
【手続補正１２】
【補正対象書類名】明細書
【補正対象項目名】００７８
【補正方法】変更
【補正の内容】
【００７８】
０．４＜｜ｆｒ／√（ｆｗ・ｆｔ）｜＜２．０      ・・・（３ａ）
【手続補正１３】
【補正対象書類名】明細書
【補正対象項目名】００７９
【補正方法】変更
【補正の内容】
【００７９】
条件式（４）は第３レンズ群Ｌ３の焦点距離を規定したものである。条件式（４）の下限をこえると第３レンズ群Ｌ３の屈折力が大きくなってズーミング時に際して収差変動が大きくなる。逆に上限をこえると第３レンズ群Ｌ３の屈折力が小さくなって、所望のズーム比（変倍比）を確保するためのストロークが増大して光学系が大型化してしまうので良くない。
【手続補正１４】
【補正対象書類名】明細書
【補正対象項目名】００９２
【補正方法】変更
【補正の内容】
【００９２】
第３ｂレンズ群Ｌ３ｂを光軸に対して垂直方向の成分を持つように移動させて像を変位させている。即ち、像ぶれ補正（防振）を行っている。
【手続補正１５】
【補正対象書類名】明細書
【補正対象項目名】００９６
【補正方法】変更
【補正の内容】
【００９６】
そして第３ｂレンズ群Ｌ３ｂを光軸に対して垂直方向の成分を持つように移動させて像を変位させている。これらの構成が実施例１と異なっているだけで、この他の構成は実施例１と同じである。
【手続補正１６】
【補正対象書類名】明細書
【補正対象項目名】０１０３
【補正方法】変更
【補正の内容】
【０１０３】
第３レンズ群は、物体側より像側へ順に、正の屈折力の第３ａレンズ群Ｌ３ａと、正の屈折力の第３ｂレンズ群Ｌ３ｂより成っている。そして第３ｂレンズ群Ｌ３ｂを光軸に対して垂直方向の成分を持つように移動させて像を変位させている。
【手続補正１７】
【補正対象書類名】明細書
【補正対象項目名】０１０５
【補正方法】変更
【補正の内容】
【０１０５】
図１３の実施例５のズームレンズについて説明する。実施例５は図１の実施例１に比べて第３レンズ群Ｌ３のレンズ構成が異なっている。実施例５の第３レンズ群Ｌ３は物体側より像側へ順に、負の屈折力の第３ａレンズ群Ｌ３ａ、正の屈折力の第３ｂレンズ群Ｌ３ｂより成っている。そして該第３ｂレンズ群Ｌ３ｂを光軸に対して垂直方向の成分を持つように移動させて像を変位させている。本施形例では、約８倍といった高変倍比（高ズーム比）を達成している。この他の構成は実施例１と同じである。